(57)【要約】  コンピュータシステムは、電子デジタルコンテンツ資料アイテム及びコンテンツ資料アイテムのグラフィカルイメージを有するコンテンツファイルサーバを備える。ナビゲーションページサーバが、ナビゲーションページテンプレートを記憶する。データベースは、異なるコンテンツアイテム間及び異なる下位構成要素間の両方の階層関係及び他の関係を含む、コンテンツアイテムについての説明情報を記憶する。システムは、動的に生成される電子文書を含む特定のナビゲーションページを閲覧する要求を受け取るロジックと、要求に基づいてナビゲーションページテンプレートの１つを選択するロジックと、特定のナビゲーションページの説明情報についてのクエリをデータベースに送るロジックと、クエリに対する結果を受け取るロジックと、コンテンツアイテム、部分、又は要約コレクションに関する説明情報、他のナビゲーションページへのリンク、及び特定のコンテンツアイテム又は部分へのリンクを含む特定のナビゲーションページを生成するロジックと、を含む。ナビゲーションページは大量の相互リンクを有することができるため、ユーザは、最初にコンテンツファイル全体をレビューすることなく大きなコンテンツを素早く概観することができる。
2009524883.tif 000002
【特許請求の範囲】
【請求項１】
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバであって、各コンテンツ資料アイテムは、デジタル化された電子印刷物コンテンツ資料、音声コンテンツ資料、又は映像コンテンツ資料の１つ又は複数のデータファイルを含む、１つ又は複数のコンテンツファイルサーバと、
１つ又は複数のナビゲーションページサーバと、
を備えるコンピュータシステムであって、
前記１つ又は複数のナビゲーションページサーバはそれぞれ、
複数のナビゲーションページテンプレートを記録した１つ又は複数の記憶装置と、
異なるコンテンツ資料アイテム間及びコンテンツ資料アイテムの異なる下位構成要素間の両方の階層関係及び他の関係を含む、記憶された前記コンテンツ資料アイテムについての説明情報を含むデータベースと、
前記１つ又は複数の記憶装置に符号化されたロジックであって、実行されると、
動的に生成された電子文書を含む特定のナビゲーションページを閲覧する要求を受け取ること、
前記要求に基づいて前記ナビゲーションページテンプレートの１つを選択すること、
前記特定のナビゲーションページに関連する前記説明情報に対する１つ又は複数のクエリを作成し、前記データベースに送ること、
前記クエリに対する１つ又は複数の結果を受け取ること、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成すること、
前記特定のナビゲーションページのみをクライアントコンピュータに送信すること
を実行するように動作可能なロジックと
を備えることを特徴とする、コンピュータシステム。
【請求項２】
前記特定のナビゲーションページが、前記特定のコンテンツ資料アイテムに関連する１つ又は複数の埋め込みグラフィックイメージをさらに含むことを特徴とする、請求項１に記載のシステム。
【請求項３】
前記コンテンツ資料アイテムが、章及び記事を含むデジタル化された書籍又は定期刊行物の号を含むことを特徴とする、請求項１に記載のシステム。
【請求項４】
前記各ナビゲーションページテンプレートが、前記コンテンツ資料アイテムのうちの１つ又は複数の特定の要約ビューの表示のデザイン及びレイアウトを特定することを特徴とする、請求項１に記載のシステム。
【請求項５】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項１に記載のシステム。
【請求項６】
前記コンテンツファイルサーバの数が、前記ナビゲーションページサーバの数よりも少ないことを特徴とする、請求項１に記載のシステム。
【請求項７】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項１に記載のシステム。
【請求項８】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項１に記載のシステム。
【請求項９】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項８に記載のシステム。
【請求項１０】
実行されると、前記特定のナビゲーションページ内の任意のリンクの選択を受け取ること、及び前記選択されたリンクで参照される前記コンテンツ資料アイテムを前記クライアントコンピュータに提供することを実行するように動作可能なロジックをさらに含むことを特徴とする、請求項１に記載のシステム。
【請求項１１】
前記特定のナビゲーションページがＨＴＭＬ文書を含み、前記データファイルのうちの１つ又は複数がＰＤＦ文書を含むことを特徴とする、請求項１に記載のシステム。
【請求項１２】
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバであって、各コンテンツ資料アイテムは、デジタル化された電子印刷物コンテンツ資料、音声コンテンツ資料、又は映像コンテンツ資料の１つ又は複数のデータファイルを含む、１つ又は複数のコンテンツファイルサーバと、
１つ又は複数のナビゲーションページサーバと、
を備える装置であって、前記１つ又は複数のナビゲーションページサーバはそれぞれ、
複数のナビゲーションページテンプレートを記録した１つ又は複数の記憶装置と、
異なるコンテンツ資料アイテム間及びコンテンツ資料アイテムの異なる下位構成要素間の両方の階層関係及び他の関係を含む、記憶された前記コンテンツ資料アイテムについての説明情報を含むデータベースと、
動的に生成された電子文書を含む特定のナビゲーションページを閲覧する要求を受け取る手段と、
前記要求に基づいて前記ナビゲーションページテンプレートの１つを選択する手段と、
前記特定のナビゲーションページに関連する前記説明情報に対する１つ又は複数のクエリを作成し、前記データベースに送る手段と、
前記クエリに対する１つ又は複数の結果を受け取る手段と、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成する手段と、
前記特定のナビゲーションページのみをクライアントコンピュータに送信する手段と
を備えることを特徴とする、装置。
【請求項１３】
前記特定のナビゲーションページが、前記特定のコンテンツ資料アイテムに関連する１つ又は複数の埋め込みグラフィックイメージをさらに含むことを特徴とする、請求項１２に記載の装置。
【請求項１４】
前記コンテンツ資料アイテムが、章及び記事を含むデジタル化された書籍又は定期刊行物の号を含むことを特徴とする、請求項１２に記載の装置。
【請求項１５】
前記各ナビゲーションページテンプレートが、前記コンテンツ資料アイテムのうちの１つ又は複数の特定の要約ビューの表示のデザイン及びレイアウトを特定することを特徴とする、請求項１２に記載の装置。
【請求項１６】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項１２に記載の装置。
【請求項１７】
前記コンテンツファイルサーバの数が、前記ナビゲーションページサーバの数よりも少ないことを特徴とする、請求項１２に記載の装置。
【請求項１８】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項１２に記載の装置。
【請求項１９】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項１２に記載の装置。
【請求項２０】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項１９に記載の装置。
【請求項２１】
前記特定のナビゲーションページ内の任意のリンクの選択を受け取る手段と、前記選択されたリンクで参照される前記コンテンツ資料アイテムを前記クライアントコンピュータに提供する手段と、をさらに備えることを特徴とする、請求項１２に記載の装置。
【請求項２２】
前記特定のナビゲーションページがＨＴＭＬ文書を含み、前記データファイルのうちの１つ又は複数がＰＤＦ文書を含むことを特徴とする、請求項１２に記載の装置。
【請求項２３】
１つ又は複数の命令シーケンスを搬送するコンピュータ可読媒体であって、前記命令は、１つ又は複数のプロセッサにより実行されると、該１つ又は複数のプロセッサに、
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバとの通信を確立するステップであって、各コンテンツ資料アイテムは、デジタル化された電子印刷物コンテンツ資料、音声コンテンツ資料、又は映像コンテンツ資料の１つ又は複数のデータファイルを含むステップと、
動的に生成された電子文書を含む特定のナビゲーションページを閲覧する要求を受け取るステップと、
前記要求に基づいて複数の記憶されたナビゲーションページテンプレートの１つを選択するステップと、
前記特定のナビゲーションページに関連する前記説明情報に対する１つ又は複数のクエリを作成し、前記データベースに送るステップであって、前記データベースは、異なるコンテンツ資料アイテム間及びコンテンツ資料アイテムの異なる下位構成要素間の両方の階層関係及び他の関係を含む、前記コンテンツ資料アイテムについての説明情報を含むステップと、
前記クエリに対する１つ又は複数の結果を受け取るステップと、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成するステップと、
前記特定のナビゲーションページのみをクライアントコンピュータに送信するステップと
を実行させることを特徴とする、コンピュータ可読媒体。
【請求項２４】
前記特定のナビゲーションページが、前記特定のコンテンツ資料アイテムに関連する１つ又は複数の埋め込みグラフィックイメージをさらに含むことを特徴とする、請求項２３に記載のコンピュータ可読媒体。
【請求項２５】
前記コンテンツ資料アイテムが、章及び記事を含むデジタル化された書籍又は定期刊行物の号を含むことを特徴とする、請求項２３に記載のコンピュータ可読媒体。
【請求項２６】
前記各ナビゲーションページテンプレートが、前記コンテンツ資料アイテムのうちの１つ又は複数の特定の要約ビューの表示のデザイン及びレイアウトを特定することを特徴とする、請求項２３に記載のコンピュータ可読媒体。
【請求項２７】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項２３に記載のコンピュータ可読媒体。
【請求項２８】
前記コンテンツファイルサーバの数が、前記ナビゲーションページサーバの数よりも少ないことを特徴とする、請求項２３に記載のコンピュータ可読媒体。
【請求項２９】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項２３に記載のコンピュータ可読媒体。
【請求項３０】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項２３に記載のコンピュータ可読媒体。
【請求項３１】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項３０に記載のコンピュータ可読媒体。
【請求項３２】
実行されると、前記特定のナビゲーションページ内の任意のリンクの選択を受け取らせる命令と、前記選択されたリンクで参照される前記コンテンツ資料アイテムを前記クライアントコンピュータに提供する手段と、をさらに備えることを特徴とする、請求項２３に記載のコンピュータ可読媒体。
【請求項３３】
前記特定のナビゲーションページがＨＴＭＬ文書を含み、前記データファイルのうちの１つ又は複数がＰＤＦ文書を含むことを特徴とする、請求項２３に記載のコンピュータ可読媒体。
【請求項３４】
複数のデジタルコンテンツ資料アイテム及び該コンテンツ資料アイテムに関連するグラフィカルイメージを含む複数のデジタルグラフィカルイメージファイルを記録した１つ又は複数のコンテンツファイルサーバとの通信を確立することであって、各コンテンツ資料アイテムは、デジタル化された電子印刷物コンテンツ資料、音声コンテンツ資料、又は映像コンテンツ資料の１つ又は複数のデータファイルを含むこと、
動的に生成された電子文書を含む特定のナビゲーションページを閲覧する要求を受け取ること、
前記要求に基づいて複数の記憶されたナビゲーションページテンプレートの１つを選択すること、
前記特定のナビゲーションページに関連する前記説明情報に対する１つ又は複数のクエリを作成し、前記データベースに送ることであって、前記データベースは、異なるコンテンツ資料アイテム間及びコンテンツ資料アイテムの異なる下位構成要素間の両方の階層関係及び他の関係を含む、前記コンテンツ資料アイテムについての説明情報を含むこと、
前記クエリに対する１つ又は複数の結果を受け取ること、
前記１つ又は複数の結果に基づいて、前記コンテンツ資料アイテム、その部分、又はその要約コレクションのうちの１つ又は複数についての説明情報、他のこのようなナビゲーションページへの複数のリンク、及び特定のコンテンツ資料アイテム又はその部分への０個以上のリンクを含む特定のナビゲーションページを生成すること、
前記特定のナビゲーションページのみをクライアントコンピュータに送信すること
を含むことを特徴とする、方法。
【請求項３５】
前記特定のナビゲーションページが、前記特定のコンテンツ資料アイテムに関連する１つ又は複数の埋め込みグラフィックイメージをさらに含むことを特徴とする、請求項３４に記載の方法。
【請求項３６】
前記コンテンツ資料アイテムが、章及び記事を含むデジタル化された書籍又は定期刊行物の号を含むことを特徴とする、請求項３４に記載の方法。
【請求項３７】
前記各ナビゲーションページテンプレートが、前記コンテンツ資料アイテムのうちの１つ又は複数の特定の要約ビューの表示のデザイン及びレイアウトを特定することを特徴とする、請求項３４に記載の方法。
【請求項３８】
前記特定のナビゲーションページが、デジタル化された書籍又は定期刊行物の号を含む特定のコンテンツ資料アイテムの目次の少なくとも部分の要約ビューを表し、前記特定のナビゲーションページが、前記目次において識別される特定の章又は記事の最初のページに対応する前記コンテンツ資料アイテムの部分への１つ又は複数のダイレクトリンクを含むことを特徴とする、請求項３４に記載の方法。
【請求項３９】
前記コンテンツファイルサーバの数が、前記ナビゲーションページサーバの数よりも少ないことを特徴とする、請求項３４に記載の方法。
【請求項４０】
前記特定のナビゲーションページは、トップレベルナビゲーションページへの複数のリンクを含み、前記各トップレベルナビゲーションページは、逐次定期刊行物の複数の期間枠の中の離散期間枠を表し、前記各トップレベルナビゲーションページは、前記離散期間枠内に発行された前記逐次定期刊行物の号への複数のリンクを含むことを特徴とする、請求項３４に記載の方法。
【請求項４１】
前記特定のナビゲーションページが、一連の１つ又は複数の説明及び指定されたメタデータ特徴の特定の値を有する発行物にそれぞれ関連する他のナビゲーションページへのリンクを含む要約ナビゲーションページを含むことを特徴とする、請求項３４に記載の方法。
【請求項４２】
前記メタデータ特徴が、発行物の著者、発行物の組織、発行物の発行元、特定の批評記事で批評される書籍、及び特定の書籍を批評する批評記事のうちの任意の１つを含むことを特徴とする、請求項４１に記載の方法。
【請求項４３】
前記特定のナビゲーションページ内の任意のリンクの選択を受け取ること、および、前記選択されたリンクで参照される前記特定のコンテンツ資料アイテムを前記クライアントコンピュータに提供すること、をさらに含むことを特徴とする、請求項３４に記載の方法。
【請求項４４】
前記特定のナビゲーションページがＨＴＭＬ文書を含み、前記データファイルのうちの１つ又は複数がＰＤＦ文書を含むことを特徴とする、請求項３４に記載の方法。
【発明の詳細な説明】
【技術分野】
【０００１】
本開示は、包括的にはデータ処理に関する。本発明は、特に、デジタルコンテンツ資料をインターネット等のネットワークに提示し、編成する方法に関する。
【背景技術】
【０００２】
この項において述べる手法は実施可能であるが、必ずしも、以前に考えられた、又は以前に実施された手法である訳ではない。したがって、本明細書において別段の定めがない限り、この項において述べる手法は、本願における特許請求の範囲に対する先行技術ではなく、この項への包含により先行技術であることを認めるものではない。
【０００３】
近年、書籍及び定期刊行物等の大量の印刷コンテンツをデジタル化し、インターネットを介してこのようなコンテンツを効率的に配信する取り組みが高まっている。
【０００４】
印刷物は純粋な情報を表し、インターネットはこのような情報を配信する効率的な手段であるため、この目標は妥当なものに思われる。
【０００５】
インターネットが生み出されるかなり前であっても、大量の印刷コンテンツをデジタル化して電子的に配信する試みは広く行われていた。数十年にわたり、共同のグーテンバーグプロジェクト（Ｇｕｔｅｎｂｅｒｇ  Ｐｒｏｊｅｃｔ）が何千もの古典書をテキスト形式にデジタル化し、主要大学のコンピュータサイトから無料でダウンロードできるようにしてきた。ネクシス−レクシス（Ｎｅｘｉｓ−Ｌｅｘｉｓ）等のデータベースサービスは、主要な新聞及び定期刊行物のアーカイブの大部分をデジタル化し、当初は専用コンピュータ端末を通して、最近は購読ウェブサイトを通しても、記事をサーチ可能な形式で顧客に有料で提供してきている。
【０００６】
最近、２００３年の後半に、アマゾン・ドットコム（Ａｍａｚｏｎ．ｃｏｍ）が、１００，０００冊を超える可読かつサーチ可能な電子形式の書籍を含む無料のウェブベースシステムをリリースし、グーグル（Ｇｏｏｇｌｅ）及びヤフー（Ｙａｈｏｏ）も続けて、多数の書籍をデジタル形式で提供する計画を発表した。いくつかの雑誌は、無料の場合もあれば、購読ベースの場合もある様々な形式で、インターネットを介してアーカイブを提供してきている。
【０００７】
しかし、印刷コンテンツのデジタル化とインターネットを介してのその配信との一見して自然な収まりにかかわらず、こういったシステムの一般的な採用及び使用は、通常、当初の予想よりもはるかに不振であることを証明してきた。例えば、２００３年後半でのアマゾン（Ａｍａｚｏｎ）の１００，０００冊のサーチ可能なデジタル書籍の当初の発表は、大きなマスコミ報道になったが、続く注目度はかなり低く、見たところ、システムの実際の有効利用が当初の想像よりもかなり低いことを示した。各種雑誌も、デジタルアーカイブの使用が当初の期待及び予想よりもかなり低いことを非公式に示した。
【０００８】
印刷コンテンツのこういった既存のデジタル化システムの一弱点は、このようなデジタル化方式が通常とる２つの異なる形式、すなわち「テキストベース」及び「イメージベース」で求められる固有のトレードオフを中心とする。
【０００９】
ネクシス−レキシス（Ｎｅｘｉｓ−Ｌｅｘｉｓ）又はグーテンバーグプロジェクト（Ｇｕｔｅｎｂｅｒｇ  Ｐｒｏｊｅｃｔ）等のテキストベースのデジタル化システムの下では、書籍、雑誌記事、又は新聞記事の印刷された内容は、ＨＴＭＬとして、又は他の何らかの形式でウェブページに表示するため、デジタルキャラクタの記憶ファイルに変換される。ＡＳＣＩＩ等のキャラクタ記憶フォーマットが使用される。
【００１０】
この種類のデジタル化には、コンテンツを軽量フォーマットで提供するという利点があり、そのため、インターネットを介して、さらには非ブロードバンド接続を介しての使用に非常に都合がよい。また、表示されるテキストは正確であり、サーチ可能であり、ブラウザウィンドウから他の任意の形式にコピーアンドペーストすることができる。
【００１１】
しかし、デジタル化のこのテキストベースの形式には深刻な欠点もある。第１に、テキストを生成するには、原本の印刷コンテンツのスキャンを実行し、その後、光学文字認識（ＯＣＲ）ソフトウェアを適用してテキストを生成する必要がある。自動ＯＣＲの品質はますます向上してきたが、それでもやはり顕著なエラーレートをもたらし、続けてテキストを手作業で修正する必要があるため、デジタル化プロセスのコストを劇的に増大させる。
【００１２】
また、書籍及び定期刊行物の印刷コンテンツは、往々にして非平凡で効果的にページ上にレイアウトされ、このレイアウトは、資料が純粋なテキストに変換される場合に失われ、さらに、明らかなことに、あらゆる色、絵、表、又は写真も同様に失われる。
【００１３】
さらに、このようなテキストベースのコンテンツは、滅多に元のページで分けられることがなく、その代わりに、通常、記事全体又は章全体を表す大きなテキストブロックの形式で提供されるか、又はいくらか任意の様式で分けられ、これらの選択肢のいずれも理想的ではない。
【００１４】
最後に、２００１年のタジニ（Ｔａｓｉｎｉ）とニューヨークタイムズ（Ｎｅｗ  Ｙｏｒｋ  Ｔｉｍｅｓ）との訴訟での米国最高裁判所の判決は、あらゆる個々の各ライターから許可を得るという極めて困難な要件なしで、新聞又は雑誌のフリーランス記事を異なる（例えば、テキストベースの）フォーマットで再発行することを、新聞又は雑誌が先にこのような許可を契約により得ていない場合には禁じているように見える。これは、雑誌ニューヨーカー（Ｎｅｗ  Ｙｏｒｋｅｒ）がアーカイブをテキストベースフォーマットにデジタル化することを禁じるに当たって最近引用した要因の１つであった。
【００１５】
これとは対照的に、その他の人気を増しているデジタル化の形式は、一般にＪＰＥＧ、ＴＩＦＦ、ウェブ最適化ＰＤＦフォーマットでのバイナリイメージファイル、又は他の何らかの種類のバイナリイメージファイルフォーマットとしての印刷コンテンツの厳密なスキャンイメージの表現に基づく。
【００１６】
こういったバイナリイメージファイルは純粋なテキストよりもはるかに多量の記憶容量を必要とするが、使用されているシステムの大半では、ユーザが、書籍全体又は定期刊行物全体の完全な内容ではなく、調べている資料の１ページ又は２ページのみを自動的に検索することができる。このため、インターネットを介して書籍の数メガバイトのＰＤＦファイル全体を伝送しなければならないのではなく、１度に２ページのみが送信され、その２ページによって大型書籍さえも非ブロードバンド接続を介して都合よく読むことができる。
【００１７】
スキャンされたバイナリイメージであれば、色、レイアウト、絵、及び写真を含む元のコンテンツ資料の内容全体を保存することができる。使用されるフォーマットがテキスト埋め込みＰＤＦである場合、バイナリイメージもテキストサーチ可能であり、ソフトウェアオプションを選択して、ユーザが標準のコピーアンドペースト操作を通して実際のテキストの任意の部分を抽出できるようにすることができる。
【００１８】
最後に、発行物の全ページの厳密なスキャンイメージの提示は、特に単一のＰＤＦファイルとして構成される場合、タジニ（Ｔａｓｉｎｉ）の判決の許容範囲内に入っているように見えるため、発行元の単独裁量で許可することが可能である。
【００１９】
イメージファイルの使用に対するこういった多くの利点にかかわらず、相当な問題がまだ残っている。第１に、最近の技術的進歩にもかかわらず、バイナリイメージファイルはまだ、通常のＨＴＭＬウェブページよりもかなり大きなままであり、多くのウェブユーザは、低速インターネットに制限されている個人に不便を感じさせることの恐れにより、こういったバイナリイメージファイルのリンクの追加を渋る。第２に、バイナリイメージファイルの本文内へのハイパーリンクの挿入は、不可能であるか、又はＰＤＦファイルの場合、ＰＤＦファイルが部分的には厳密にこの機能を提供するために実際に開発されたにもかかわらず、面倒である。そして、このようなハイパーリンクがＰＤＦファイルに追加されてしまうと、ハイパーリンクを多少なりとも変更又は変形することも同程度困難である。恐らくこの理由により、インターネットハイパーリンクを利用しているのは、インターネット上のバイナリイメージに基づくデジタル化された印刷コンテンツのほんの一部のみである。そして、ハイパーリンクの使用はインターネットの最も強力で汎用的な機能の１つを表すため、その機能を大きく犠牲にすることは巨大な弱点である。
【００２０】
さらに、バイナリイメージファイルは静的で、構造に固定され、一般に、容易な変更又は操作が極めて困難である。これとは対照的に、インターネットで優勢なユビキタスＨＴＭＬウェブページは柔軟で操作しやすく、無限数のこのようなＨＴＭＬページを、ＰＨＰ又はコールドフュージョン（ＣｏｌｄＦｕｓｉｏｎ）等のウェブアプリケーション言語で書かれた単一のテンプレートファイルから容易に生成することができ、動的に導出されるウェブページは、選択された特定のユニバーサルリソースロケータ（ＵＲＬ）及び恐らくサーバデータベースの変化する値によって決まる。
【００２１】
ＨＴＭＬウェブページのリンクの容易さ及び柔軟性と、アドビ（Ａｄｏｂｅ）ポータブルドキュメントフォーマット（ＰＤＦ）の電子文書を含め、このような技法を大きなバイナリイメージファイルに適用することの困難さとの非常に大きな対照が、恐らく、インターネット全体を通しての前者の現在の巨大な優勢及び比較的小量のデジタル化印刷コンテンツが後者に基づくことの説明の役に立つ。
【発明を実施するための最良の形態】
【００２２】
本発明を制限ではなく例として添付図面の図に示し、図中、同様の参照番号は同様の要素を指す。
【００２３】
１．０  全体概観
以下の説明において、説明のため、本発明の完全な理解を提供するために多くの特定の詳細を記す。しかし、このような特定の詳細なしでも本発明を実施可能なことが当業者には理解されよう。場合によっては、本発明を不必要に曖昧にすることを避けるために、周知の構造及び装置がブロック図の形態で示される。
【００２４】
一実施形態では、データベースから導出される動的電子文書の相互リンクされた階層を使用してデジタルコンテンツをネットワークに提示する方法及びシステムが提供される。
【００２５】
別の実施形態では、本発明は、関係データベースから導出される軽量で柔軟な動的ウェブページの大規模に相互リンクされた中間層により、デジタル化された書籍、定期刊行物、及び他の印刷コンテンツ等のコンテンツ資料アイテムをインターネットに好都合かつ安価に提示する手段を提供する。
【００２６】
一手法では、印刷コンテンツの作品が、実際の印刷ページの基礎をなすバイナリイメージ表現（「コンテンツファイル」）及びコンテンツファイルに対して中間のプレゼンテーション、リンキング、及びナビゲーション層として機能する、ＨＴＭＬウェブページ等の１組の１つ又は複数の電子文書（「ナビゲーションページ」）の両方にまとめて関連付けられる。ＨＴＭＬウェブページが使用される場合、ナビゲーションページは軽量で柔軟であるが、他の形式の電子文書をナビゲーションページとして使用することもできる。ナビゲーションページは、制限された量のウェブアプリケーションプログラミングにより動的に生成される。ナビゲーションページの特定のインスタンス化は、ユニバーサルリソースロケータ（ＵＲＬ）等のネットワークロケーション識別子で伝達される要求及びデータベースに記憶されている値の両方によって決まる。ナビゲーションページはＨＴＭＬテキストを含むことができる。ナビゲーションページは、軽量グラフィカルイメージへの埋め込みリンクを含むことができ、そしてジャバスクリプト（Ｊａｖａ（登録商標）ｓｃｒｉｐｔ）アクションストリング等のプログラミングアクションへのリンクも含むこともできる。
【００２７】
印刷コンテンツ用のデジタル化システムの特定の実施形態は、厳密さ、視覚的な都合の良さ、合法性、軽量、容易なリンク、柔軟性、及び動的データベースにより導出される製作物を提供することができる。データベースにより導出される動的ページの使用により、単にデータベースを更新するだけでシステムを変更又は拡張することができるとともに、システムの内部一貫性及び堅牢性も自動的に保証される。
【００２８】
このデジタル化構造は、設計、レイアウト、内部リンク、外部リンク、ナビゲーション構造、及び編成を含む、システムの大部分を構成するナビゲーションページを、デジタル化印刷資料の実際のバイナリイメージを含み、システムの物理的なサイズを支配する基礎をなすコンテンツファイルから分離する。
【００２９】
この手法においてナビゲーションページとコンテンツファイルとを分離することにより、システムの設計構造を表すより多くのナビゲーションページが、ウェブアプリケーションプログラミングの部分を変更することにより、又は関係データベースに含まれる値を更新することにより、時間の経過に伴って変形される場合であっても、潜在的にかなり大きなコンテンツファイルを変更せずに残すことができる。逆に、将来の技術的進歩により、基礎をなすコンテンツファイルの変更又は置換が必要になる場合、このような変更又は置換は、ナビゲーションページのコレクションによって別個に表されるデジタル化システムの全体的なレイアウト又は設計に対して必然的な影響を殆どまたはまったく及ぼさない。
【００３０】
このアーキテクチャにより、ナビゲーションページが各種の所望のユーザ制限を同時に受けながら、コンテンツファイルがインターネット上で開かれた非制限のトランスペアレントにリンク可能な形態で提供され、それにより、潜在的に作業可能な「オープンコンテンツ」システムの枠組みが提供される一実施形態も可能になる。各種実施形態の下において、コンテンツファイルのうちのいくつか又はすべてを第三者により提供し、第三者のサービスでホストすることができる。
【００３１】
一実施形態では、ナビゲーションページは、ウェブアプリケーションプログラミングによって動的に生成される。これにより、基礎をなすコンテンツファイルへの相互リンク及び接続の標準化を含め、ナビゲーションページが自動的に標準化されることが保証される。また、ナビゲーションページはユーザの要求に応じてのみ生成されるため、このような仮想ナビゲーションページの数が莫大又は略無制限であっても、ナビゲーションページが実際に生成される前に追加の記憶スペースを必要としなくてよい。
【００３２】
一実施形態では、ナビゲーションページは比較的多数で軽量であり、一般に、要求ＵＲＬ及び基礎をなす関係データベースによって決定されるため、ナビゲーションページのインスタンス化は、変更されない関係データベースの別個のコピーをそれぞれ処理する、潜在的に多数の略独立したナビゲーションページコンピュータサーバにわたって並列に実行することができ、より制限された数のコンテンツファイルサーバの動作から分離することができる。このサーバの増大は、大量のトラフィックは恐らくナビゲーションページへのトラフィックであるため、重いユーザ負荷の処理に有用であることができる。また、デジタル化資料のコンテンツファイルのサイズは、一般に、対応するデータベース情報よりもはるかに大きいため、ナビゲーションページサーバの記憶要件は、システム全体の記憶要件と比較して低い。
【００３３】
一手法では、基礎をなすコンテンツファイルはサーチ可能ファイルによって表すことができる。例えば、パスワードロックされたテキスト埋め込みＰＤＦファイルを使用することができる。これに加えて、又はこれに代えて、コンテンツファイルは、印刷資料からのスキャンプロセスを介して、又はコンテンツを元々生成したデスクトップパブリッシングソフトウェアにより生成することができる。これらコンテンツファイルの大部分又は全体は、システムのサーバ（例えば、図３のサーバ３２０、３２１）に配置することができる。
【００３４】
この実施形態のナビゲーションページは、動的に生成される電子文書であることができる。例えば、ナビゲーションページは、コールドフュージョン（ＣｏｌｄＦｕｓｉｏｎ）ウェブアプリケーションプログラミング言語で書かれた１つ又は複数のテンプレートによって動的に生成され、ウェブサイトサーバに保持されるＭｙＳＱＬ関係データベースに接続されたＨＴＭＬウェブページであることができ、インターネット要求はアパッチ（Ａｐａｃｈｅ）ウェブページサーバにより管理される。一実施形態では、一般に少数のテンプレートが必要である。例示的実施形態について図２を参照して以下においてさらに説明する。
【００３５】
一実施形態では、データベースはデジタル化された発行物についての様々な説明情報を含む。ＭｙＳＱＬ又はマイクロソフトＳＱＬ−サーバ（Ｍｉｃｒｏｓｏｆｔ  ＳＱＬ−Ｓｅｒｖｅｒ）等の関係データベースを使用することができる。例えば、データベースは、各種書籍、定期刊行物の号、記事、章、及び印刷コンテンツの他のカテゴリのタイトル、サブタイトル、著者、及びページ番号を記憶する。データベースは、これら異なる階層データベース項目を互いに関連付ける索引付きの値も記憶する。この説明情報の大半は、各種の利用可能な第三者データベースから、又はデジタル化プロセス中又はデジタル化プロセス後に得られる実際の書籍、定期刊行物の号、及びそれらの目次から得ることができる。
【００３６】
したがって、一実施形態では、各デジタル書籍は、コンテンツファイル並びに１組のナビゲーションページによって表される。一実施形態では、ナビゲーションページの１つは、書籍の目次を表示することができ、各章ラインアイテムが、その章のナビゲーションページへのリンク並びにコンテンツファイル内のその章の最初のページへのリンクを含む。この手法により、ユーザは、書籍全体のナビゲーションページから任意の所与の章のナビゲーションページに、又は可読バイナリイメージ形式でのその章の実際の冒頭に容易に移動することができる。それと同時に、一実施形態では、所与の章のナビゲーションページは、次章及び前章のナビゲーションページへのリンク並びに書籍全体のナビゲーションページ及びコンテンツファイル内のその章の冒頭へのリンクを含むことができる。
【００３７】
この実施形態又は他の実施形態では、デジタル化定期刊行物は、その定期刊行物の全体内容を表す１組のトップレベルナビゲーションページを含む。ナビゲーションページは、含まれる異なる年毎又は１０年毎の要約を含むことができる。トップレベルナビゲーションページは、定期刊行物の個々の１０年間、年、四半期、又は月の内容を表示している階層的な一連のナビゲーションページへもリンクすることができ、各ナビゲーションページは、ナビゲーションページ階層内の「親」、「子」、及び隣接する「兄弟」にリンクすることができる。一実施形態では、上位レベルのナビゲーションページは、定期刊行物の個々の号のナビゲーションページにリンクされる。
【００３８】
デジタル化定期刊行物の個々の各号は、コンテンツファイル及び１組のナビゲーションページによって表される。一実施形態では、ナビゲーションページの少なくとも１つが、その号の目次を表示する。一実施形態では、目次ページは、各記事のナビゲーションページへの１つ又は複数のリンクならびにコンテンツファイル内のその記事の最初のページへのリンクを含む。一実施形態では、記事のナビゲーションページは、その号全体のナビゲーションページ並びにコンテンツファイル内のその記事の冒頭にリンクされる。
【００３９】
本明細書において述べるデジタル化システムは、異なる定期刊行物、年、号、記事、書籍、及びデジタル化された発行物の章を表す潜在的に膨大な数の異なるナビゲーションページを含むことができ、各ナビゲーションページは、潜在的に、様々な異なる表示モード又はフォーマットで提示され、すべて多くの異なる方法で相互リンクされる。
【００４０】
データベースから引き出される小量の説明テキストの他に、ナビゲーションページは、１つ又は複数の比較的少数のグラフィカルイメージへの埋め込みリンクを含むこともできる。一実施形態では、ナビゲーションページは、デジタル化プロセスの副産物として生成される書籍及び定期刊行物の号の表紙の縮約ＪＰＥＧバージョンを表示する。このようなイメージは、ユーザが所望のナビゲーションページをより容易に思い出し、区別し、見つけられるようにする記憶を助ける手段として有用に機能することができる。
【００４１】
ナビゲーションページは動的にデータベースから導出されるページであるため、ウェブアプリケーション言語で書かれた比較的少数の異なるテンプレートにより生成することができ、データベースから引き出される値に基づいて異なる形態及びレイアウトをとる。したがって、あらゆるデジタル書籍又は定期刊行物の追加に要求される潜在的に多数の追加のナビゲーションページの追加に必要な労力は、適切な説明情報を基礎をなす関係データベースに挿入することを除いては小量である。ナビゲーションページは、システムがデジタル形態で含まないコンテンツ、例えば対応するコンテンツファイルのないフィルム、音楽、又は書籍のプレースホルダとして追加することもできる。
【００４２】
さらに、各種実施形態では、プライマリコンテンツナビゲーションページを、編成のために有用な多数の追加の、いくらかより要約的なナビゲーションページで増補することができる。例えば、一実施形態では、システム内の所与の定期刊行物の各著者が、１組の追加のナビゲーションページで表され、その作者の利用可能な全作品が様々な異なる表現で相互リンクされる。同様の複数の組のナビゲーションページが、個々の組織及びその組織が作成した各種書籍、定期刊行物、及び報告書に対して利用することができる。別の実施形態では、ナビゲーションページのカテゴリが、任意の所与の年及び日に発行された全範囲の定期刊行物の号を表示することができ、それにより、その瞬間での公開情報の「タイムスライス」を提供する。異なる実施形態は、広範囲の他の種類の要約ナビゲーションページを含むことができ、多種多様な異なる軸及び自由度にわたって定期刊行物の好都合で効率的なグループ化を可能にする。
【００４３】
各種実施形態では、書評記事に対応するナビゲーションページは、批評される書籍のナビゲーションページへのリンクを、それら書籍がコンテンツファイルで表されるか否かに関わらず、含むことができる。書籍のナビゲーションページは、その書籍の批評のナビゲーションページにリンクすることができる。フィルムのナビゲーションページは、それらフィルムの批評に対応するナビゲーションページに相互リンクすることができる。さらに、これらナビゲーションページは、様々な他の関係リンク又は有用リンク、ボタン、又は情報種類を含むこともできる。
【００４４】
軽量で動的な形態がナビゲーションページに使用される場合、ナビゲーションページはリンキングに非常に適する。多数の様々な異なるナビゲーションページを含む一実施形態は、ユーザがニーズに適したリンクをより容易に選択できるようにする。このような外部リンクの増大は、リンクされたページ及びシステム全体の主要インターネットサーチエンジンでの可視性を高めることになる。
【００４５】
ナビゲーションページは関係データベースから動的に生成されるため、そのリンク、内部構造、又は編成は、一般に、少数の効率的なデータベースクエリによって指定することができ、それにより、その生成に必要なコンピュータオーバーヘッドが最小に抑えられる。例えば、これらクエリは、日付でソートされた所与の年の定期刊行物をすべて表示するナビゲーションページ又はタイトルでソートされた所与の著者により書かれた記事をすべて表示するナビゲーションページ等の関連する性質のデジタル化コンテンツのグループ化されたリンクを生成する際に特に効率的である。
【００４６】
さらに、特定の実施形態では、全体システムアーキテクチャにより、（Ａ）ウェブアプリケーションプログラミングによって決定されるシステムの外観及びリンクの作成、（Ｂ）コンテンツファイルによって決定され、一般にスキャン／ＯＣＲにより生成されるバイナリイメージコンテンツの作成、及び（Ｃ）関係データベースによって決定され、部分的に特定の目次からのデータ入力を介して導出される特定のナビゲーションページの特徴の作成を分けて、生成プロセス中に労働力を効率的に分けることができる。したがって、（Ａ）、（Ｂ）、及び（Ｃ）の生成又は変更に使用されるプロシージャは、概して独立しており、順次又は恐らく異なる個人若しくはグループにより並列して実行することができ、それにより、生成プロセスの効率が最大化される傾向がある。大半の場合では、ナビゲーションページの生成に必要な略すべての情報が、印刷コンテンツのわずかな部分、すなわち目次ページ及び恐らくタイトルページから導出されるため、生成プロセスの効率をさらに増大させることができる。
【００４７】
一実施形態では、コンピュータシステムは、記録された複数のデジタルコンテンツ資料アイテム及びコンテンツ資料アイテムに関連するグラフィカルイメージを含む複数のデジタルグラフィカルイメージファイルを有する１つ又は複数のコンテンツファイルサーバを備え、各コンテンツ資料アイテムは、デジタル化された電子印刷物、音声、又は映像のコンテンツ資料の１つ又は複数のデータファイルを含み、１つ又は複数のナビゲーションページサーバはそれぞれ、記録された複数のナビゲーションページテンプレートを有する１つ又は複数の記憶装置と、異なるコンテンツ資料アイテム間及びコンテンツ資料アイテムの異なる下位構成要素間両方の階層関係及び他の関係を含む、コンテンツ資料アイテムについての記憶された説明情報を含むデータベースと、１つ又は複数の記憶装置に符号化されるロジックであって、実行されると、動的に生成される電子文書を含む特定のナビゲーションページを閲覧する要求を受信すること、要求に基づいてナビゲーションページテンプレートのうちの１つを選択すること、特定のナビゲーションページに関連する説明情報についての１つ又は複数のクエリを作成してデータベースに送信すること、クエリに対する１つ又は複数の結果を受信すること、１つ又は複数の結果に基づいて、コンテンツ資料アイテム、その部分、又はその要約コレクションのうちの１つ又は複数についての説明情報を含む、このような他のナビゲーションページへの複数のリンク、及び特定のコンテンツ資料アイテム若しくはその部分へのゼロ以上のリンク特定のナビゲーションページを生成すること、特定のナビゲーションページのみをクライアントコンピュータに送信することを実行するように動作可能なロジックと、を含む。
【００４８】
２．０  生成プロセス及び動作シーケンスの例
図１は、動作のいくつかを並列して実行することができる、本発明の例示的実施形態の通常の生成プロセスを表すブロック図を示す。
【００４９】
ウェブアプリケーション言語［＃１１０］でのプログラミング開発により、ナビゲーションページの動的生成に使用される１つ又は複数のテンプレート［＃１１１］が生成される。テンプレート［＃１１１］は、ナビゲーションページの特定のレイアウト及び表示可能ビュー並びに互いへのリンク、コンテンツファイルへのリンク、及び任意の外部ウェブページへのリンクを含むシステムの基本設計アーキテクチャを含む。このようなプログラミングはすべて、動的ウェブページを作成する標準のソフトウェアプログラミング技法を使用して、コールドフュージョン（Ｃｏｌｄ  Ｆｕｓｉｏｎ）、ＰＨＰ、又は他の何らかの現在又は将来のウェブアプリケーション言語を使用して実行することができる。
【００５０】
ステップ１１２に示すように、デジタル化コンテンツ資料アイテムについての情報を説明した要約が、コンテンツ自体からのデータ入力を通して、又は外部データベース若しくは他のソースから得られ、基礎をなす関係データベースに挿入される［＃１１３］。標準データベースプログラミング技法を使用して、このような情報を挿入することができる。ステップ１１２は、ステップ１１０と並列して実行することができる。各種実施形態において、このような要約情報は、書籍、章、及び記事の著者、タイトル、及び開始ページを含むことができる。印刷コンテンツ資料アイテムの場合、要約情報の大半は、通常、書籍又は定期刊行物の目次ページから得ることができる。
【００５１】
ＯＣＲ処理を含む標準の技術を使用して、まだバイナリイメージフォーマットではない任意の印刷コンテンツをスキャンし、このようなフォーマットにデジタル化してテキストを抽出し、テキストのＡＳＣＩＩバージョンを埋め込むことができる［＃１１４］。ステップ１１４は、ステップ１１０、１１２と並列して実行することができる。例示的実施形態では、この処理の出力は、この実施形態のコンテンツファイル［＃１１７］を構成するサーチ可能なテキスト埋め込みＰＤＦファイルである。この例示的実施形態では、印刷コンテンツの表紙ページのバイナリイメージも別個に抽出、圧縮されて、ナビゲーションページへの表示に使用される軽量ＪＰＥＧグラフィカルイメージファイル［＃１１５］が生成される。
【００５２】
これらの生成プロセスが完了すると、所与のナビゲーションページの生成［＃１１６］は、ウェブアプリケーションプログラミングテンプレート［＃１１１］、関係データベース［＃１１３］に含まれている説明情報、及び軽量グラフィカルイメージファイル［＃１１５］を利用し、適切なコンテンツファイル［＃１１７］へのリンクを含むことができる。
【００５３】
図２は、本発明の一例示的実施形態の動作シーケンスを要約した流れ図を提供する。
【００５４】
まず、クライアントマシンのユーザが、ＵＲＬ等のウェブサイトの特定のネットワークロケーション識別子を指定する［＃２１０］。システムのウェブページサーバがこのＵＲＬ要求を受信して解析し［＃２１１］、ＵＲＬ要求がコンテンツファイルに対応するか、それともナビゲーションページに対応するかを判断する。
【００５５】
ＵＲＬ要求がコンテンツファイルを指すか、それともナビゲーションページを指すかを示す特定の方法は、完全に実施形態に依存し、プログラミングの都合及び的確さのために選択される。例示的実施形態では、サタデーレビュー（Ｓａｔｕｒｄａｙ  Ｒｅｖｉｅｗ）の１９４７年６月１４日号の３０頁から始まる記事のナビゲーションページのデフォルト表示ビューを表すＵＲＬは、「．．．／Ｐｕｂｌｉｃａｔｉｏｎ／ＳａｔｕｒｄａｙＲｅｖ−１９４７ｊｕｎ１４−０００３０」で終わる。これと同じ例示的実施形態では、その号のコンテンツファイル内の同じ記事の最初の頁に対応するＵＲＬは、そのストリングにサフィックス「？Ｖｉｅｗ＝ＰＤＦ」を追加することによって示され、ＵＲＬの終わりは、「．．．／Ｐｕｂｌｉｃａｔｉｏｎ／ＳａｔｕｒｄａｙＲｅｖ−１９４７ｊｕｎ１４−０００３０？Ｖｉｅｗ＝ＰＤＦ」になる。
【００５６】
ＵＲＬ要求がコンテンツファイルに対応すると判断される場合、ＵＲＬ要求はコンテンツファイルサーバに向けられ［＃２１２］、コンテンツファイルサーバは、次に、インターネットを介して適切なコンテンツファイルをユーザに送出する［＃２１７］。
【００５７】
ＵＲＬ要求がナビゲーションページに対応すると判断される場合、ＵＲＬ要求はナビゲーションページサーバに向けられる［♯２１３］。したがって、ウェブアプリケーションプログラミングソフトウェアサーバが、テンプレート１１１を実行して、要求をより詳細に解析し、表示すべき特定のナビゲーションページを判断し、そのページが要求する情報を得るために必要な１つ又は複数のリレーショナルクエリを作成する［＃１２４］。１つ又は複数のクエリは関係データベースサーバに送られ、関係データベースサーバは要求されたデータをデータベースサーバ応答において返す［＃２１５］。次に、ソフトウェアサーバは、データベースサーバ応答内のデータを使用して、コンテンツファイルへの適切なリンク、グラフィカルイメージ、及び他のナビゲーションページを組み込んでナビゲーションページを生成し［＃２１６］、ウェブページサーバを介し、インターネットを介して結果として生成されたナビゲーションページをユーザに提供する。適切なナビゲーションページを生成するためのテンプレート２１１に使用されるプログラミング技法は、ＵＲＬ及び関係データベースに含まれる情報から複雑な動的ウェブページを生成する標準の技法である。
【００５８】
ユーザは、要求されたナビゲーションページを受信すると、そのページ上の情報を調べることができ、又は多くの埋め込みリンクのうちの任意のリンクをクリックして、コンテンツファイル若しくは別のナビゲーションページに移ることができる［＃２１８］。
【００５９】
３．０  システムアーキテクチャ例
図３は、本発明の例示的実施形態の全体的なクライアント／サーバネットワークアーキテクチャを表すブロック図を示す。各種クライアントマシンのユーザ［＃３１０−３１３］が、インターネットページ要求をシステムの１つ又は複数のウェブページサーバ［＃３１４−３１６］に提供することができ、ウェブページサーバは、次に、ウェブアプリケーションプログラミングテンプレート及びソフトウェアサーバと、関係データベース及びデータベースサーバＭｙＳＱＬとを含む１つ若しくは複数のナビゲーションページサーバ［＃３１７−３１９］又はバイナリＰＤＦコンテンツファイルを含む１つ若しくは複数のコンテンツファイルサーバ［＃３２０、３２１］にこれら要求をルーティングする。１つ又は複数のナビゲーションページサーバは、ウェブアプリケーションテンプレート及びソフトウェアサーバと、関係データベース及びデータベースソフトウェアサーバとを含む。１つ又は複数のコンテンツファイルサーバはコンテンツファイルを含む。例示的実施形態では、ウェブページサーバはアパッチ（Ａｐａｃｈｅ）であり、ウェブアプリケーションプログラミングはコールドフュージョン（Ｃｏｌｄ  Ｆｕｓｉｏｎ）又はＰＨＰであり、関係データベースはＭｙＳＱＬであり、コンテンツファイルはテキスト埋め込みＰＤＦファイルである。
【００６０】
４．０  コンテンツとページとの関係例
図４は、本発明の例示的実施形態の下で相互リンクされた書籍のナビゲーションページ及びコンテンツファイルを表す概略図を示す。ナビゲーションページ［＃４１０］は書籍の目次を表示し、書籍の各章を表すナビゲーションページ［＃４１１−４１６］と相互リンクされ、所与の章の各ナビゲーションページも隣接する章のナビゲーションページに相互リンクされる。さらに、これら章ナビゲーションページは、書籍全体のコンテンツファイル［＃４１７］内の適切なポイントへのリンクを提供する。この実施形態では、ナビゲーションページはＨＴＭＬウェブページとして提供され、コンテンツファイルはＰＤＦファイルである。
【００６１】
図５は、本発明の例示的実施形態の下でのデジタル化定期刊行物の相互リンク構造の全体部分を表す概略図を示す。ナビゲーションページ［＃５１０］は定期刊行物全体を表し、年毎にグループ化された号の概観を示す。次に、このナビゲーションページは、定期刊行物の個々の年でグループ化された号を表すナビゲーションページ［＃５１１−５１５］に相互リンクされる。これらのうちの１つである１９７５年ナビゲーションページ［＃５１３］は、その年の個々の号を表すナビゲーションページ［＃５１６−５２０］に相互リンクされて示される。同様に、１９７５年３月号ナビゲーションページ［＃５１８］は、その号の個々の記事を表すナビゲーションページ［＃５２１−５２５］と相互リンクされて示される。最後に、これらの各記事のナビゲーションページ［＃５２１−５２５］が、その号のコンテンツファイル内の適切なポイントへのリンクを提供する。この実施形態では、ナビゲーションページはＨＴＭＬウェブページとして提供され、コンテンツファイルはＰＤＦファイルである。
【００６２】
図６は、本発明の例示的実施形態の下でのデジタル化定期刊行物の号の相互リンク構造のより詳細な図を表す概略図を示す。ナビゲーションページ［＃６１０］は、その号の目次を表示し、号内の各記事を表すナビゲーションページ［＃６１１−６１６］と相互リンクされ、各記事のナビゲーションページも隣接する記事のナビゲーションページに相互リンクされる。さらに、これら記事ナビゲーションページは、号全体のコンテンツファイル［＃６１７］内の適切なポイントへのリンクを提供する。この実施形態では、ナビゲーションページはＨＴＭＬウェブページとして提供され、コンテンツファイルはＰＤＦファイルである。
【００６３】
図７は、本発明の例示的実施形態の下でのデジタル書籍、定期刊行物の号、及び著者の相互リンク構造の一部を表す概略図を示す。ナビゲーションページ［＃７１０］は、所与の著者のグループ化された作品を表し、その著者の３つの記事［＃７２１−７２３］及び２冊の書籍［＃７１９、７２０］のナビゲーションページと相互リンクされる。さらに、これら書籍のうちの１冊のナビゲーションページ［＃７１９］が、その書籍を批評している書評記事のナビゲーションページ［＃７１１］と相互リンクされて示され、その批評のナビゲーションページ［＃７１１］も、批評で考察されているその他の書籍のナビゲーションページ［＃７１６−７１８］並びにその定期刊行物の号全体のナビゲーションページ［＃７１４］と相互リンクされ、これもまた号のコンテンツファイル［＃７１５］内の適切なポイントへのリンクを提供する。最後に、号のナビゲーションページ［＃７１４］も同様に、その号のコンテンツファイル［＃７１５］内のポイントへのリンクを提供し、その年でグループ化された号のナビゲーションページ［＃７１３］と相互リンクされて示され、そして、ナビゲーションページ［＃７１３］は、定期刊行物全体のナビゲーションページに相互リンクされる。この実施形態では、ナビゲーションページはＨＴＭＬウェブページとして提供され、コンテンツファイルはＰＤＦファイルである。
【００６４】
図９は、１冊の書籍の内容をナビゲートする際に使用される、一実施形態において生成されたナビゲーションページ例を示す。図９では、ナビゲーションページ９００は、ＰＤＦファイル等の書籍の電子デジタル表現へのリンク９０２を含む。著者リンク９０４は、選択されると、リンクに名前のある著者に関連するすべてのコンテンツ資料アイテムを示す別のナビゲーションページを生成させる。
【００６５】
ナビゲーションページ９００は、特定の記事、章、又は書籍の他のセクションへの１つ又は複数のリンク９１４を含むコンテンツリンクセクション９１０をさらに含む。例えば、第１のリンク９１４は書籍の第１の記事を識別し、選択されると、システムにその記事を表示させる。別法として、第１の記事が１つ又は複数のサブセクション又は階層的に下位レベルのコンテンツを有する場合、第１のリンク９１４を選択すると、サブセクション又はレベルを識別する別のナビゲーションページが生成される。各リンク９１４につき、ドキュメントリンク９１６が、ＰＤＦファイル等の記事の電子デジタル表現を識別する。ナビゲーションページ９００は、コンテンツリンクセクション９１０に関連する書籍の部分のデジタルイメージ９０８を含むこともでき、それにより、ユーザがコンテンツリンクセクションと実際のコンテンツ資料アイテムとを視覚的に相関付けられるようにする。
【００６６】
図１０は、一実施形態において生成され、１０年間毎の定期刊行物のページを含むナビゲーションページ例を示す。図１０では、ナビゲーションページ１０００は、各種レベルの表示に関連付けられたナビゲーションリンク１００２を含み、ナビゲーションリンク１００２は、選択されると、全１０年間の関連する定期刊行物の発行物、定期刊行物のすべての号、データベース内のすべての定期刊行物、及びデータベース内のすべての発行物についての情報を提供する追加のナビゲーションページを生成させる。
【００６７】
ナビゲーションページ１０００において識別される定期刊行物、この例ではジャーナル「ディセント（Ｄｉｓｓｅｎｔ）」について、１つ又は複数の期間リンク１００４が提供され、これが選択されると、定期刊行物ナビゲーションページにより表される１０年間内の期間枠に関連する追加のナビゲーションページが生成される。戻る−次へ（Ｐｒｅｖｉｏｕｓ−Ｎｅｘｔ）リンク１００６により、ナビゲーションページ１０００と同様の形式であるが、定期刊行物の別の１０年間に関連する追加のナビゲーションページを生成することができる。
【００６８】
ナビゲーションページ１０００は表示制御リンク１００８をさらに含み、表示制御リンク１００８は、選択されると、ナビゲーションページのコンテンツセクション１０１０のフォーマット及び内容を変更する。例えば、別の表示制御リンク１００８は、関連する１０年間の定期刊行物の全号、全表紙、全コラム等のリストを示す新しいナビゲーションページを生成させることができる。
【００６９】
コンテンツセクション１０１０内において、グラフィカルイメージ１０１８が関連する１０年間の最初の号の表紙を示す。その１０年間内の各号は号情報１０１２により表され、号情報１０１２は、号リンク１０１４及びドキュメントリンク１０１６を含むことができる。号リンク１０１４を選択すると、選択された号内のすべての内容を示す、図１１の形式と同様の新しいナビゲーションページが生成される。ドキュメントリンク１０１６を選択すると、ＰＤＦファイル等の選択された号の電子デジタル表現が表示される。
【００７０】
図１１は、一実施形態において生成され、定期刊行物の号ページを含むナビゲーションページ例を示す。図１１では、ナビゲーションページ１１００は各種表示レベルに関連するナビゲーションリンク１１０２を含み、ナビゲーションリンク１１０２が選択されると、定期刊行物の発行年のすべての号、定期刊行物のすべての号、データベース内のすべての定期刊行物、及びデータベース内のすべての発行物についての情報を提供する追加のナビゲーションページが生成される。
【００７１】
ナビゲーションページ１１０２において識別される定期刊行物、この例ではジャーナル「リーズン（Ｒｅａｓｏｎ）」について、ドキュメントリンク１１０４は、ＰＤＦファイル等の定期刊行物の電子デジタル表現を表示できるようにする。組織リンク１１０６は、選択されると、リンクに名称がある組織に関連するすべてのコンテンツ資料アイテムを示す別のナビゲーションページを生成させる。図１３は組織ページ例である。戻る−次へ（Ｐｒｅｖｉｏｕｓ−Ｎｅｘｔ）リンク１１０８が、ナビゲーションページ１０００と同様の形式であるが、定期刊行物の別の号に関連する追加のナビゲーションページを生成できるようにする。
【００７２】
ナビゲーションページ１１００は表示制御リンク１１１０をさらに含み、表示制御リンク１１１０は、選択されると、ナビゲーションページのコンテンツセクション１１１４のフォーマット及び内容を変更する。例えば、別の表示制御リンク１１１０は、縮約された目次、定期刊行物の最初のテキスト、定期刊行物内の記事のみ、定期刊行物内の書評のみ等を示す新しいナビゲーションページを生成させることができる。
【００７３】
コンテンツセクション１１１４内において、グラフィカルイメージ１１１２が定期刊行物の表紙を示す。記事又は書評等の号内の下位コンテンツアイテムは、記事リンク１１１６及びドキュメントリンク１１１８を含むことができる記事情報１１１５によって表される。記事リンク１１１６を選択すると、もしあれば、記事のサブセクションへのリンクを有するナビゲーションページ等の選択された記事内のすべての内容を示す新しいナビゲーションページが生成される。ドキュメントリンク１１１８を選択すると、ＰＤＦファイル等の選択された記事の電子デジタル表現が表示される。
【００７４】
図１２は、一実施形態において生成され、著者ページを含むナビゲーションページ例を示す。図１２では、ナビゲーションページ１２００は、ナビゲーションページのコンテンツセクション１２１４において識別されるすべてのコンテンツ資料アイテムに関連する著者を識別する著者インジケータ１２０２を含む。ナビゲーションページ１２００は表示制御リンク１２０４をさらに含み、表示制御リンク１２０４は、選択されると、ナビゲーションページのコンテンツセクション１２１４のフォーマット及び内容を変更する。例えば、別の表示制御リンク１２０４は、その著者が批評した書籍のみ、その著者の章のみ、その著者の記事、その著者によって書かれた書評等を示す新しいナビゲーションページを生成させることができる。
【００７５】
ナビゲーションページ１２００は１つ又は複数のフォーマットリンク１２０６を含むことができ、フォーマットリンク１２０６は、選択されると、新しいナビゲーションページを異なるフォーマットで生成させる。例えば、フォーマットリンク１２０６は、縮約フォーマットのナビゲーションページ、著者の書籍の表紙のみを示すナビゲーションページ、大きなイメージフォーマットの表紙を示すナビゲーションページ等を生成させることができる。
【００７６】
ナビゲーションページ１２００は１つ又は複数のソートリンク１２０８を含むことができ、ソートリンク１２０８は、選択されると、コンテンツセクション１２１４が異なる方法でソートされた新しいナビゲーションページを生成させる。例えば、各種ソートリンク１２０８は、コンテンツセクション１２１４に示されるコンテンツ資料アイテムがタイトル、日付、サイズ、順番等によってソートされた新しいナビゲーションページをシステムに生成させることができる。
【００７７】
ナビゲーションページ１２００は、その１０年間又はリンクに示される他の期間枠に発行された関連する著者のコンテンツ資料アイテムのみを示す新しいナビゲーションページを生成させる１つ又は複数の１０年リンク（ｄｅｃａｄｅ  ｌｉｎｋ）１２１０を含むこともできる。ナビゲーションページ１２００は、リンクに示された英字で始まるタイトルを有する、関連する著者のコンテンツ資料アイテムのみを示す新しいナビゲーションページを生成させる１つ又は複数のタイトルリンク１２１２を含むこともできる。
【００７８】
一実施形態では、ナビゲーションページ１２００は範囲リンク１２１３を含むことができ、範囲リンク１２１３は、選択されると、結果アイテムのうち、指定された範囲内の著者に関連するコンテンツ資料アイテムのみを含む新しいナビゲーションページを生成させる。例えば、図１２は、最初の１−２５の結果アイテム内の１−８と付番された８つのアイテムを示す。他のリンクが、著者に関連する結果のうちの他の範囲内のコンテンツ資料アイテムを表示することができる。
【００７９】
コンテンツセクション１２１４は、著者のコンテンツ資料アイテムについての特定の情報を提供する１つ又は複数のコンテンツ資料アイテム情報セット１２１５を含む。例えば、情報セット１２１５は、関連する著者が著したコンテンツ資料アイテムの名称を示すタイトルアイテム１２１６を含み、そのコンテンツ資料アイテムに関連するナビゲーションページへのタイトルリンク１２１７及びアイテム又はタイトルが発行された定期刊行物への定期刊行物リンク１２２０を含むことができる。ドキュメントリンク１２１８を選択すると、ＰＤＦファイル等の選択されたコンテンツ資料アイテムの電子デジタル表現が表示される。
【００８０】
図１３は、一実施形態において生成され、組織ページを含むナビゲーションページ例を示す。図１３では、ナビゲーションページ１３００は、組織を識別し、その組織のホームウェブページが存在すれば、ホームウェブページへのリンクを提供する組織リンク１３０２を含む。
【００８１】
ナビゲーションページ１３００は表示制御リンク１３０４をさらに含むことができ、表示制御リンク１３０４は、選択されると、ナビゲーションページのコンテンツセクション１３１４のフォーマット及び内容を変更する。例えば、別の表示制御リンク１３０４は、関連する組織が配布したすべてのコンテンツ資料アイテム、その組織の定期刊行物のみ、１組の組織のみ、書籍のみ、主要参考資料等を示す新しいナビゲーションページを生成させることができる。
【００８２】
ナビゲーションページ１３００はフォーマット制御リンク１３０６をさらに含み、フォーマット制御リンク１３０６は、選択されると、コンテンツセクション１３１４のフォーマットを変更する。例えば、フォーマット制御リンク１３０６は、コンテンツ資料アイテムの縮約リスト、組織のコンテンツ資料アイテムの表紙のみ、コンテンツ資料アイテムの表紙の大型グラフィカルイメージのみ等を示す新しいナビゲーションページを生成させることができる。
【００８３】
ナビゲーションページ１３００は１つ又は複数のソートリンク１３０８を含むことができ、ソートリンク１３０８は、選択されると、コンテンツセクション１３１４が異なる方法でソートされた新しいナビゲーションページを生成させる。例えば、各種ソートリンク１３０８は、コンテンツセクション１３１４に示されるコンテンツ資料アイテムがタイトル、日付、サイズ、順番等でソートされた新しいナビゲーションページをシステムに生成させることができる。ナビゲーションページ１３００は、その１０年間又はリンクに示された他の期間枠に発行された、関連する組織のコンテンツ資料アイテムのみを示す新しいナビゲーションページを生成させる１つ又は複数の１０年リンク１３１０を含むこともできる。ナビゲーションページ１３００は、リンクに示された英字で始まるタイトルを有する、関連する組織のコンテンツ資料アイテムのみを示す新しいナビゲーションページを生成させる１つ又は複数のタイトルリンク１３１２を含むこともできる。
【００８４】
コンテンツセクション１３１４は、組織のコンテンツ資料アイテムの一覧リストを含むことができる。各コンテンツ資料アイテムは、コンテンツ資料アイテムのグラフィカルイメージ１３２０、タイトルリンク１３１６、及びドキュメントリンク１３１８によって識別される。タイトルリンク１３１６は、選択されると、選択されたタイトルにより指定されるコンテンツ資料に関連する新しいナビゲーションページを表示させる。ドキュメントリンク１３１８を選択すると、ＰＤＦファイル等のコンテンツ資料アイテムの電子デジタル表現が表示される。
【００８５】
図９−図１３は、一実施形態が生成することができるナビゲーションページの例を表す。他の実施形態では、他の特定のナビゲーションページを生成することができる。
【００８６】
５．０  ハードウェア実施例
図８は、本発明の一実施形態を実施することができるコンピュータシステム８００を示すブロック図である。コンピュータシステム８００は、情報を通信するバス８０２又は他の通信機構、及びバス８０２に結合され、情報を処理するプロセッサ８０４を含む。コンピュータシステム８００は、バス８０２に結合され、情報及びプロセッサ８０４による実行される命令を記憶する、ランダムアクセスメモリ（「ＲＡＭ」）又は他の動的記憶装置等のメインメモリ８０６も含む。メインメモリ８０６は、プロセッサ８０４により実行される命令の実行中に一時変数又は他の中間情報を記憶するために使用することもできる。コンピュータシステム８００は、バス８０２に結合され、静的な情報及びプロセッサ８０４の命令を記憶する読み取り専用メモリ（「ＲＯＭ」）８０８又は他の静的記憶装置をさらに含む。情報及び命令を記憶する、磁気ディスク又は光ディスク等の記憶装置８１０が提供され、バス８０２に結合される。
【００８７】
コンピュータシステム８００は、バス８０２を介して、情報をコンピュータユーザに表示する、陰極線管（「ＣＲＴ」）等のディスプレイ８１２に結合することができる。情報及びコマンド選択をプロセッサ８０４に伝達する、英数字キー及び他のキーを含む入力装置８１４が、バス８０２に結合される。別の種類のユーザ入力装置は、方向情報及びコマンド選択をプロセッサ８０４に伝達するとともに、ディスプレイ８１２上のカーソルの移動を制御する、マウス、トラックボール、スタイラス、又はカーソル方向キー等のカーソル制御機構８１６である。この入力装置は、通常、第１の軸（例えば、ｘ）及び第２の軸（例えば、ｙ）という２軸において自由度２を有し、装置が平面において位置を特定できるようにする。
【００８８】
本発明は、編成されたデジタル化コンテンツ資料をネットワークに提示するコンピュータシステム８００の使用に関連する。本発明の一実施形態によれば、デジタル化コンテンツ資料をネットワークに提示して編成することは、プロセッサ８０４がメインメモリ８０６に含まれる１つ又は複数の命令の１つ又は複数のシーケンスを実行することに応答して、コンピュータシステム８００によって提供される。このような命令は、記憶装置８１０等の別のコンピュータ可読媒体からメインメモリ８０６に読み込むことができる。メインメモリ８０６に含まれる命令シーケンスの実行により、プロセッサ８０４に本明細書において述べたプロセスステップを実行させる。代替の実施形態では、本発明を実施するために、ソフトウェア命令に代えて、またはソフトウェア命令と組み合わせてハードワイヤード回路を使用してもよい。したがって、本発明の実施形態は、ハードウェア回路及びソフトウェアのいかなる特定の組み合わせにも制限されない。
【００８９】
本明細書において使用する用語「コンピュータ可読媒体」は、実行のために命令をプロセッサ８０４に提供することに関わる任意の媒体を指す。このような媒体は、不揮発性媒体、揮発性媒体、及び伝送媒体を含むがこれらに限定されない多くの形態をとることができる。不揮発性媒体は、例えば、記憶装置８１０等の光ディスク又は磁気ディスクを含む。揮発性媒体は、例えば、メインメモリ８０６等の動的メモリを含む。伝送媒体は、バス８０２を構成するワイヤを含め、同軸ケーブル、銅線、及び光ファイバを含む。伝送媒体は、電波及び赤外線通信中に生成されるもの等の音波又は光波の形態をとることもできる。
【００９０】
コンピュータ可読媒体の一般的な形態としては、例えば、フロッピー（登録商標）ディスク、フレキシブルディスク、ハードディスク、磁気テープ、又は他の任意の磁気媒体、ＣＤ−ＲＯＭ、他の任意の光媒体、パンチカード、紙テープ、穴パターンを有する他の任意の物理的な媒体、ＲＡＭ、ＰＲＯＭ、及びＥＰＲＯＭ、フラッシュＥＰＲＯＭ、他の任意のメモリチップ又はカートリッジ、後述する搬送波、又はコンピュータが読み取れる他の任意の媒体が挙げられる。
【００９１】
各種形態のコンピュータ可読媒体が、実行のためにプロセッサ８０４に１つ又は複数の命令の１つ又は複数のシーケンスを搬送するに当たって関わることができる。例えば、命令をまず、リモートコンピュータの磁気ディスクに搬送することができる。リモートコンピュータは、命令を動的メモリにロードして、モデムを使用して電話回線を介して命令を送信することができる。コンピュータシステム８００のローカルのモデムは、電話回線上でデータを受信し、赤外線送信器を使用してデータを赤外線信号に変換することができる。赤外線検出器が赤外線信号で搬送されるデータを受信することができ、適切な回路がそのデータをバス８０２にのせることができる。バス８０２はデータをメインメモリ８０２に搬送し、メインメモリ８０６から、プロセッサ８０４は命令を検索して実行する。メインメモリ８０６が受信する命令は、オプションとして、プロセッサ８０４による実行前又は実行後に記憶装置８１０に記憶することができる。
【００９２】
コンピュータシステム８００は、バス８０２に結合された通信インタフェース８１８も含む。通信インタフェース８１８は、ローカルネットワーク８２２に接続されたネットワークリンク８２０に結合する２方向データ通信を提供する。例えば、通信インタフェース８１８は、データ通信接続を対応する種類の電話回線に提供する総合デジタル通信網（「ＩＳＤＮ」）カード又はモデムであることができる。別の例として、通信インタフェース８１８は、データ通信接続を適合するＬＡＮに提供するローカルエリアネットワーク（「ＬＡＮ」）であることができる。無線リンクを実施することも可能である。任意のこのような実施態様では、通信インタフェース８１８は、各種の情報を表すデジタルデータストリームを搬送する電気信号、電気磁気信号、又は光信号を送受信する。
【００９３】
ネットワークリンク８２０は、通常、１つ又は複数のネットワークを通してデータ通信を他のデータ装置に提供する。例えば、ネットワークリンク８２０は、ホストコンピュータ８２４又はインターネットサービスプロバイダ（「ＩＳＰ」）８２６が運営しているデータ機器にローカルネットワーク８２２を通して接続を提供することができる。そして、ＩＳＰ８２６は、現在では一般に「インターネット」８２８と呼ばれているワールドワイドパケットデータ通信網を通してデータ通信サービスを提供する。ローカルネットワーク８２２及びインターネット８２８は両方とも、デジタルデータストリームを搬送する電気信号、電気磁気信号、又は光信号を使用する。コンピュータシステム８００に、そしてコンピュータ８００からデジタル信号を搬送する、各種ネットワークを通る信号及びネットワークリンク８２０上にあり通信インタフェース８１８を通る信号は、情報を運ぶ搬送波の例示的な形態である。
【００９４】
コンピュータシステム８００は、ネットワーク、ネットワークリンク８２０、及び通信インタフェース８１８を通して、プログラムコードを含め、メッセージを送信し、データを受信することができる。インターネットの例では、サーバ８３０は、インターネット８２８、ＩＳＰ８２６、ローカルネットワーク８２２、及び通信インタフェース８１８を通して要求されたコードをアプリケーションプログラムに送信することができる。本発明によれば、このようにしてダウンロードされる１つのアプリケーションが、本明細書に述べたネットワークへのデジタル化コンテンツ資料の提示及び編成を提供する。
【００９５】
プロセッサ８０４は、受信されたコードをコード受信時に実行し、かつ／又は後で実行するために記憶装置８１０若しくは他の不揮発性記憶装置に記憶することができる。このようにして、コンピュータシステム８００は、搬送波の形態でアプリケーションコードを得ることができる。
【００９６】
６．０  拡張及び代替
上記明細書において、本発明の特定の実施形態を参照して本発明を説明した。しかし、本発明のより広い精神及び範囲から逸脱することなく、各種の変更及び変形を実施可能なことが明らかであろう。それに従って、本明細書及び図面は、制限の意味ではなく例示の意味で見なされるべきである。
【００９７】
例えば、テキスト埋め込みの単一ＰＤＦファイルとして提供されることに代えて、デジタル化発行物のページイメージを表すコンテンツファイルを、ＴＩＦＦ、ＪＰＥＧ、又は他の何らかの存在する、又は将来のバイナリイメージフォーマット等の他の何らかのフォーマットで提供することもできる。各種実施形態において、ページイメージは、独立バイナリイメージとして表示されるか、ＨＴＭＬページのインラインフレーム内の挿入イメージのように軽量ウェブページフレームワーク内に表示される。ページイメージは、一緒に単一のファイルにまとめてもよく、別個のファイルとして提供してもよく、又はデータベース内に「バイナリラージオブジェクト」（ＢＬＯＢ）として存在してもよい。単純なＨＴＭＬテキストで構成することに代えて、ナビゲーションページはＸＭＬ又は他の何らかの現在又は将来の軽量テキスト指向フォーマットでレンダリングすることもできる。
【００９８】
コールドフュージョン（ＣｏｌｄＦｕｓｉｏｎ）に基づくのではなく、軽量動的ナビゲーションページの生成に使用されるテンプレートはそれに代えて、ＰＨＰ又は他の何らかの現在又は将来のウェブアプリケーションプログラミング言語を使用してもよい。さらに、ＭｙＳＱＬではなく、データベースシステムはそれに代えて、オラクルＳＱＬ（Ｏｒａｃｌｅ  ＳＱＬ）、マイクロソフトＳＱＬサーバ（Ｍｉｃｒｏｓｏｆｔ  ＳＱＬ−Ｓｅｒｖｅｒ）、又は他の何らかの現在又は将来のＳＱＬ又は他の関係データベースに頼ることもできる。アパッチ（Ａｐａｃｈｅ）に代えて、インターネット要求を他の何らかの現在又は将来のウェブページサーバで管理することもできる。
【００９９】
印刷資料に制限されずに、システムのプライマリコンテンツナビゲーションページは、フィルム及び音楽アルバム、又は他の種類のデジタルオーディオ又はビデオコンテンツ等の他の形態のコンテンツに拡張することも可能である。
【０１００】
著者及び組織だけの他に、広範囲の追加の種類のセカンダリ要約ナビゲーションページをシステムに追加することもできる。これらは、追加の方法でコンテンツナビゲーションページを編成しグループ化するために使用することができる。
【図面の簡単な説明】
【０１０１】
【図１】動作のいくつかを並列して実行することができる、本発明の例示的実施形態の通常の製造プロセスを表すブロック図を示す。
【図２】本発明の例示的実施形態の動作シーケンスを要約した流れ図を提供する。
【図３】本発明の例示的実施形態の全体的なクライアント／サーバネットワークアーキテクチャを表すブロック図を示す。
【図４】本発明の例示的実施形態の下での書籍の相互リンクされたナビゲーションページ及びコンテンツファイルを表す概略図を示す。
【図５】本発明の例示的実施形態の下でのデジタル化された定期刊行物の相互リンク構造の全体部分を表す概略図を示す。
【図６】本発明の例示的実施形態の下でのデジタル化された定期刊行物の号の相互リンク構造のより詳細な図を表す概略図を示す。
【図７】本発明の例示的実施形態の下でのデジタル化された書籍、定期刊行物の号、及び著者の相互リンク構造の一部を表す概略図を示す。
【図８】一実施形態を実施することができるコンピュータシステムを示す。
【図９】一冊の書籍の内容をナビゲートする際に使用される、一実施形態において生成されたナビゲーションページ例を示す。
【図１０】一実施形態において生成され、１０年間毎の定期刊行物のページを含むナビゲーションページ例を示す。
【図１１】一実施形態において生成され、定期刊行物の号ページを含むナビゲーションページ例を示す。
【図１２】一実施形態において生成され、著者ページを含むナビゲーションページ例を示す。
【図１３】一実施形態において生成され、組織ページを含むナビゲーションページ例を示す。
【図１】
2009524883.tif 000003
【図２】
2009524883.tif 000004
【図３】
2009524883.tif 000005
【図４】
2009524883.tif 000006
【図５】
2009524883.tif 000007
【図６】
2009524883.tif 000008
【図７】
2009524883.tif 000009
【図８】
2009524883.tif 000010
【図９】
2009524883.tif 000011
【図１０】
2009524883.tif 000012
【図１１】
2009524883.tif 000013
【図１２】
2009524883.tif 000014
【図１３】
2009524883.tif 000015
【国際調査報告】
2009524883.tif 000016